(57)【要約】【課題】認証動作時における低消費電力化を実現でき、使い勝手の良い防犯機能を備えるＩＣタグ認証機能付き携帯電話機を提供する。【解決手段】ユーザが携帯する携帯品に付された無線ＩＣタグと無線通信するＩＣタグ無線部と、電話機の操作入力時に、現在の動作モードを判定し（ステップＳ２０１−Ｓ２０２）、判定結果が未承認のモードであるとき、前記ＩＣタグ無線部による無線ＩＣタグとの無線通信に基づいて無線ＩＣタグの識別符号の認証を行い、認証結果、正しい識別符号であるとき承認モードに変更し（ステップＳ２０３−Ｓ２０６）、現在の動作モードが承認モード時にのみ前記操作入力を受け付けて当該操作入力に応じた処理を実行する（ステップＳ２０７−Ｓ２０８）制御部を備える。【選択図】図２
2005094171.tif 000002
【特許請求の範囲】
【請求項１】
ユーザが携帯する携帯品に付された無線ＩＣタグと無線通信するＩＣタグ無線部と、
電話機の操作入力時に、現在の動作モードを判定し、判定結果が未承認のモードであるとき、前記ＩＣタグ無線部による無線ＩＣタグとの無線通信に基づいて無線ＩＣタグの識別符号の認証を行い、認証結果、正しい識別符号であるとき承認モードに変更し、現在の動作モードが承認モード時にのみ前記操作入力を受け付けて当該操作入力に応じた処理を実行する制御手段と
を備えたＩＣタグ認証機能付き携帯電話機。
【請求項２】
前記制御手段は、認証結果、正しい識別符号でないと判定した場合に、防犯モードに変更し、防犯処理を実行する
請求項１に記載のＩＣタグ認証機能付き携帯電話機。
【請求項３】
前記制御手段は、現在の動作モードが防犯モードであると判定されたときに、解除操作を行うまで解除操作以外のすべての通常操作を拒絶し、その操作時に防犯処理を実行する
請求項１または２に記載のＩＣタグ認証機能付き携帯電話機。
【発明の詳細な説明】
【技術分野】
【０００１】
本発明は、携帯電話機に係り、特に不正使用時の対策を備えたＩＣタグ認証機能付き携帯電話機に関する。
【背景技術】
【０００２】
携帯電話機をどこかに置き忘れると、金品等の置忘れと同様に容易には探し出せず、また、拾った人も所有者がわからず返すのが難しい。場合によっては拾った人がそのまま拾った携帯電話機を使用することもあり、その場合に所有者は多大な料金を支払うことになる。これは特に携帯電話機が盗難に会ったときに起こり易い。このような問題への対策をもつ携帯電話機として、予め設定した暗証番号を入力した後でなければ発呼できないようにしたものがある。しかし、これでは発呼のたびに暗証番号の入力を必要とし、操作がわずらわしい。
【０００３】
また、携帯電話機における発呼操作の煩わしさをなくし、盗難や紛失時に不正使用されるのを防止する携帯電話機として、他の電話機からの操作により当該携帯電話機の動作モードを切り換えて動作の制限を行う携帯電話機が開示されている（例えば、特許文献１及び２参照）。しかし、このような携帯電話機では、使用者が携帯電話機の紛失に気づかない場合や他の電話機等が利用できない状況であれば、動作の制限を行うための動作モードに切り替えることができない。
【０００４】
また、複数のＩＣタグを使用し本人を認証する「本人確認方法及び本人確認装置」が開示されている（例えば、特許文献３参照）。しかし、このような本人確認方法及び装置では、認証する側の装置は常に認証動作を行っており、このため消費電力が増すことになり、携帯電話機に適用した場合においてはバッテリーの持続時間が短くなる問題があった。
【０００５】
さらに、携帯電話機を紛失しまたは盗難にあっても不正に使用されることを防止する本人照会システムとして、ＩＣタグを利用して本人を認証するシステムが開示されている（例えば、特許文献４参照）。しかしながら、このシステムにおいて、具体的に本人の認証を行うタイミング及び防犯モードの設定等の処理に関しては記載がなく、使い勝手の良い防犯モードの設定を望めなかった。
【特許文献１】特願平９−３１２６８７号公報（第３頁）
【特許文献２】特開２００１−８６２２８号公報（第３−４頁）
【特許文献３】特開２００２-２６９０４５号公報（第４頁、図１）
【特許文献４】特開２００１−３２５５５２号公報（第３−４頁）
【発明の開示】
【発明が解決しようとする課題】
【０００６】
上述したように、複数のＩＣタグを使用し本人を認証する従来技術においては、携帯電話機に適用した場合にバッテリーの持続時間が短くなり、また、具体的に本人の認証を行うタイミング及び防犯モードの設定等の処理に関しては記載がなく、使い勝手の良い防犯モードの設定を望めなかった。
【０００７】
本発明は、上述した従来技術における問題点を解消するためになされたもので、認証動作時における低消費電力化を実現でき、使い勝手の良い防犯機能を備えるＩＣタグ認証機能付き携帯電話機を提供することを目的とする。
【課題を解決するための手段】
【０００８】
本発明に係るＩＣタグ認証機能付き携帯電話機は、ユーザが携帯する携帯品に付された無線ＩＣタグと無線通信するＩＣタグ無線部と、電話機の操作入力時に、現在の動作モードを判定し、判定結果が未承認のモードであるとき、前記ＩＣタグ無線部による無線ＩＣタグとの無線通信に基づいて無線ＩＣタグの識別符号の認証を行い、認証結果、正しい識別符号であるとき承認モードに変更し、現在の動作モードが承認モード時にのみ前記操作入力を受け付けて当該操作入力に応じた処理を実行する制御手段とを備えたものである。
【０００９】
また、前記制御手段は、認証結果、正しい識別符号でないと判定した場合に、防犯モードに変更し、防犯処理を実行するものである。
【００１０】
さらに、前記制御手段は、現在の動作モードが防犯モードであると判定されたときに、解除操作を行うまで解除操作以外のすべての通常操作を拒絶し、その操作時に防犯処理を実行するものである。
【発明の効果】
【００１１】
本発明に係るＩＣタグ認証機能付き携帯電話機は、操作入力時に、現在の動作モードを判定し、判定結果が未承認のモードであるとき、無線ＩＣタグとの無線通信に基づいて無線ＩＣタグの識別符号の認証を行い、認証結果、正しい識別符号であるとき承認モードに変更し、現在の動作モードが承認モード時にのみ操作入力を受け付けて当該操作入力に応じた処理を実行する。このため、操作時にのみ認証動作が行われて認証動作時における低消費電力化が実現でき、また、現在の動作モードが承認モード時にのみ操作入力を受け付けて当該操作入力に応じた処理を実行することで、承認モード時以外のモード時における操作入力を不能にして排除でき、使い勝手の良い防犯機能を備えさせることができる。
【発明を実施するための最良の形態】
【００１２】
図１は、本発明の実施の形態に係るＩＣタグ認証機能付き携帯電話機の構成を示すブロック図である。図１に示すように、携帯電話機１０８は、携帯電話機の操作を入力するための操作部１０１、制御部１０２、承認するＩＣタグの識別符号を予め記憶している記憶部１０３、携帯電話機の無線部１０４、スピーカ１０５、表示部１０６及びＩＣタグと無線通信するＩＣタグ無線部１０７から構成されている。
【００１３】
ここで、ＩＣタグ無線部１０７と無線通信する相手は、携帯電話機１０８のユーザが携帯する携帯品である、装飾部、例えば図１では指輪１１０に付されたＩＣタグ１０９を備えるＩＣタグ付き指輪１１１であり、ＩＣタグ１０９は、ＲＦＩＤ（Radio Frequency Identification）技術を利用して非接触で通信を行い、内部に搭載されたＩＣメモリ内のデジタル情報のやり取りを通して自動識別を行うデジタルメディアで、ＩＣタグ無線部１０７のアンテナから発生した電波により、ＩＣタグに電力が生じ、その電力を利用してメモリに記憶している情報をＩＣタグ無線部１０７に送信するものである。
【００１４】
なお、本発明に用いられる非接触ＩＣタグ付き携帯電話機について、外部装置（例えば携帯電話機１０８）とのデータ通信を非接触で行うメモリ機能（個人情報等の記憶部）には、「非接触ＩＣタグ」、「非接触データキャリア」、「無線ＩＣタグ」、「非接触ＩＣ」、「非接触ＩＣラベル」、「ＲＦＩＤタグ」、「共振タグ」等と、種々の名称で表現される場合もあるので、本発明においては、代表して「非接触ＩＣタグ」と表現し、前記のように表現されている名称のものも包含するものとする。
【００１５】
また、上記構成において、操作部１０１は、携帯電話機としての操作の他に、防犯モード（後述する図２のステップＳ２１１）の解除操作も本操作部から行う。制御部１０２は、操作部１０１、記憶部１０３、無線部１０４、スピーカ１０５、表示部１０６およびＩＣタグ無線部１０７を制御する制御手段を構成するもので、複数の場合もある。記憶部１０３は、ＩＣタグの識別符号と共に携帯電話機の実行コードや各種情報を記憶する。スピーカ１０５は、携帯電話機の着信音や音声の他に、防犯モード（後述する図２のステップＳ２１１）時に警報を鳴動させることもできる。
【００１６】
また、表示部１０６は、携帯電話機の表示の他に、防犯モード（図２のステップＳ２１１）時の表示も行える。ＩＣタグ無線部１０７は、ＩＣタグ１０９と無線通信を行い、ＩＣタグ１０９から識別符号を受信する。ＩＣタグ１０９は、個別の識別符号を保持し、無線通信によりＩＣタグ無線部１０７に当該識別符号を送信する。装飾部１１０は、使用者にＩＣタグ１０９を携帯させる際の取り付け部である。本図は指輪であるが、腕時計、ブレスレッド、手袋等であってもよく、クリップ、紐、接着剤などを用いて取り付けることができる。
【００１７】
次に、上記構成に係るＩＣタグ認証機能付き携帯電話機の動作について、主に、図２に示す制御部１０２の処理フローチャートを参照して説明する。まず、操作部１０１から何らかの入力があったか否かを判定する（ステップＳ２０１）。入力があればステップＳ２０２へ、なければＥＮＤに向かう。ステップＳ２０２では、現在のモードとその終了時間を確認する。現在のモードが承認モード中であれば、ステップＳ２０７へ、防犯モード中であればステップＳ２１３へ、未承認、承認モード終了時間経過、防犯モード終了時間経過であればステップＳ２０３へそれぞれ移行する。
【００１８】
ここで、承認モードと防犯モードの終了時間経過を確認するのは、一連の操作の最初だけＩＣタグの認証を行い、以降は行わないようにするためである。それにより、最初の操作以降ではレスポンスの低下を防ぐことができる。あるいは、安全性をより高めるために、個々のモードに対して終了時間を判定しない、もしくは終了時間を極端に短くすることにより、入力毎に認証することも可能である。
【００１９】
ステップＳ２０３では、ＩＣタグ無線部１０７からＩＣタグ１０９に個別の識別符号を送信するよう要求する。ステップＳ２０４では、ＩＣタグ無線部１０７がＩＣタグ１０９から個別の識別符号を受信したか否かを判定する。受信していればステップＳ２０５へ、未受信であればステップＳ２１０へ移行する。ステップＳ２０５では、受信した識別符号と記憶部１０３に保持している識別符号とを比較し、一致していればステップＳ２０６へ、不一致であればステップＳ２１０へ移行する。
【００２０】
ステップＳ２０６では、動作モードを承認モードに変更する。ステップＳ２０７で承認モードの終了時間を設定・更新する。本例では、承認モード中は一連の操作が終了するまでは承認モードの終了時間を再設定・更新したりするが、更新しないあるいは承認モード中に入力があった場合にステップＳ２０２からステップＳ２０８へ移行することもできる。ステップＳ２０８では、携帯電話機の操作部１０１からの操作入力を受け付けて、その操作入力に応じた処理を実行する。
【００２１】
ステップＳ２１０では、動作モードを防犯モードに変更し、ステップＳ２１１で防犯モードの終了時間を設定・更新する。そして、ステップＳ２１２で防犯処理を実行する。防犯処理とは、例えば、発着信制限、入力操作制限などの携帯電話機の動作制限や、警報鳴動、所定電話回線への自動発信、所定アドレスヘのメール通知などの外部通知、入力操作日時、場所など情報記録・保持がある。
【００２２】
ステップＳ２１３では、操作部１０１からの入力が防犯モードの解除操作か否かを判定する。記憶部１０３に保持した解除操作と一致していればステップＳ２１４へ、不一致であればステップＳ２１２へ移行する。すなわち、現在の動作モードが防犯モードであると判定されたときは、解除操作を行うまで解除操作以外のすべての通常操作を拒絶し、その操作時に防犯処理を実行する。本例では、防犯モードの解除を操作入力のみで行っているが、操作入力とＩＣタグの識別符号の組み合わせ、あるいはＩＣタグの識別符号のみで防犯モードの解除を行うこともできる。ステップＳ２１４では、動作モードを未承認モードにして終了する。
【００２３】
なお、本実施の形態では、携帯電話機に関してのみ記しているが、以下の例のように各種機器にも同様に応用できる。
例１）ＲＦＩＣタグ付き指輪とＲＦＩＣタグリーダ付き銃器で、引き金を引いたときに、銃器使用者を相互認証し、認証ＯＫの場合に発砲する銃器。
例２）ＲＦＩＣタグ付き指輪とＲＦＩＣタグリーダ付きキーボード・マウスで、それぞれから入力があったときにパソコン使用者を相互認証し、認証ＯＫの場合に入力を受け付けるキーボード、マウス。
例３）ＲＦＩＣタグ付き指輪とＲＦＩＣタグリーダ付きドアで、ドアノブを回したときに、ドアを開ける人を相互認証し、認証ＯＫの場合にドアが開くドア。（自動車も同様）
例４）ＲＦＩＣタグ付き指輪とＲＦＩＣタグリーダ付きＡＴＭ（automated teller [telling] machine）で、ＡＴＭ操作をしたときに、ＡＴＭ操作者を相互認証し、認証ＯＫの場合にＡＴＭを利用可能となるＡＴＭ。
例５）ＲＦＩＣタグ付き指輪とＲＦＩＣタグリーダ付きストーブ、ガスレンジで、操作をしたときに、操作者を相互認証し、認証ＯＫの場合に入力を受け付けるストーブ、ガスレンジ。
【００２４】
上述した実施の形態によれば、下記の効果を奏する。
１）携帯電話機の操作時に装飾品のＩＣタグ認証を行うこととしているので、使用者はユーザ認証を意識することなく操作でき、取扱が容易である。また、操作時に、常にユーザ認証するので、ちょっとした置忘れ等の短い時間であっても、未承認での使用を防止できる。
２）認証承認時のみ携帯電話機の操作を受け付けることとしているので、使用者はユーザ認証を意識することなく操作でき、かつ、第三者の不正使用を防止できる。
３）認証失敗時に防犯モードになることとしているので、不正使用者は回避することが困難である。単に操作防止以外にも、外部通知や操作情報記録などにより、携帯電話機探索、不正使用者探索等にも有効となる。
４）前記防犯モードになったときに、解除操作を行うまで、解除操作以外のすべての通常操作を拒絶し、その操作時に防犯処理を行うこととしているので、第三者の不正使用を防止できる。
【産業上の利用可能性】
【００２５】
本発明によれば、操作時にのみ認証動作が行われて認証動作時における低消費電力化が実現でき、また、現在の動作モードが承認モード時にのみ操作入力を受け付けて当該操作入力に応じた処理を実行することで、承認モード時以外のモード時における操作入力を不能にして排除でき、使い勝手の良い防犯機能を備えた携帯電話機として有用である。
【図面の簡単な説明】
【００２６】
【図１】本発明の実施の形態に係るＩＣタグ認証機能付き携帯電話機の構成を示すブロック図である。
【図２】ＩＣタグ認証機能付き携帯電話機の制御部１０２の処理内容を示すフローチャートである。
【符号の説明】
【００２７】
１０１  操作部、１０２  制御部、１０３  記憶部、１０４  無線部、１０５  スピーカ、１０６  表示部、１０７  ＩＣタグ無線部、１０８  携帯電話機、１０９  ＩＣタグ、１１０  装飾部（指輪）、１１１  ＩＣタグ付き指輪。
【図１】
2005094171.tif 000003
【図２】
2005094171.tif 000004